(57)【要約】      （修正有）【課題】撮影に関する機能の設定操作が簡便にできるようにする。【解決手段】一定時間以上、ユーザは、指f1で、タッチスクリーン１８上の右下の領域を接触し続ける。すると、撮像装置の撮影に関する基本機能の名称がそれぞれ記載された複数の基本機能カードCBが、タッチスクリーン１８右下の端を中心に扇形に表示される。その後、ユーザは、基本機能カードCB1を選択し、指f1で、基本機能カードCB1の表と裏をひっくり返す操作をすることができる。本発明は、例えば撮像装置に適用することができる。【選択図】図４
2010067260.tif 000002
【特許請求の範囲】
【請求項１】
タッチパネルとパネルとから構成されるタッチスクリーン手段と、
前記タッチスクリーン手段の第１の領域の接触が検出されたとき、第１の機能を示すシンボルを前記第１の領域に表示させ、前記第１の領域の接触が維持された状態で前記タッチスクリーン手段の第２の領域の接触が検出されたとき、第２の機能を示すシンボルを前記第２の領域に表示させる表示制御を行う表示制御手段と
を備える情報処理装置。
【請求項２】
前記タッチスクリーン手段の表示領域を上下左右に分割した場合における、右下領域が前記第１の領域であり、左下領域が前記第２の領域である
請求項１に記載の情報処理装置。
【請求項３】
前記表示制御手段は、前記表示制御として、前記第１の領域または前記第２の領域の接触が一定時間以上継続した場合、前記第１の機能または前記第２の機能を示すシンボルを表示させる制御を行う
請求項１に記載の情報処理装置。
【請求項４】
前記表示手段は、前記表示制御としてさらに、第１の消去条件が満たされた場合、前記第１の機能を示すシンボルの表示を消去し、第２の消去条件が満たされた場合、前記第２の機能を示すシンボルの表示を消去する
請求項１に記載の情報処理装置。
【請求項５】
前記第２の消去条件は、前記第１の機能を示すシンボルの表示が消去されたという条件を含む
請求項４に記載の情報処理装置。
【請求項６】
前記第１の機能は複数種類の機能の集合体であり、所定の種類の機能を示すカードを模したオブジェクトとしての第１機能カードが種類毎に設けられて、前記第１の機能を示すシンボルが構成されており、
前記第２の機能は複数種類の機能の集合体であり、所定の種類の機能を示すカードを模したオブジェクトとしての第２機能カードが種類毎に設けられて、前記第２の機能を示すシンボルが構成されている
請求項１に記載の情報処理装置。
【請求項７】
前記タッチスクリーン手段に対する操作として、複数種類毎の前記第１機能カードと複数種類毎の前記第２機能カードとからなる複数のカードのうち、機能の設定操作の対象となるカードが選択操作された後、そのカードにより特定される機能の設定を指示する設定操作がなされた場合、その機能の設定を行う機能設定手段を
さらに備え、
前記表示制御手段は、前記設定操作がなされた場合、前記表示制御としてさらに、前記選択操作された前記カードをひっくり返す画像を前記タッチスクリーン手段に表示させる制御を行う
請求項６に記載の情報処理装置。
【請求項８】
前記設定操作は、前記選択操作された前記カードに対する指のシングルタップによる操作、または、前記選択操作された前記カードに接触している２本指の間隔を狭めていく操作が採用される
請求項７に記載の情報処理装置。
【請求項９】
前記情報処理装置の面のうち、タッチスクリーン手段が配置されている面と対向する面に配置されるタッチパネル手段をさらに備え、
前記設定操作は、前記タッチパネル手段に対する指のシングルタップによる操作が採用される
請求項７に記載の情報処理装置。
【請求項１０】
タッチパネルとパネルとから構成されるタッチスクリーンを備える情報処理装置が、
前記タッチスクリーンの第１の領域の接触が検出されたとき、第１の機能を示すシンボルを前記第１の領域に表示させ、前記第１の領域の接触が維持された状態で前記タッチスクリーンの第２の領域の接触が検出されたとき、第２の機能を示すシンボルを前記第２の領域に表示させる
ステップを含む情報処理方法。
【請求項１１】
タッチパネルとパネルとから構成されるタッチスクリーンを備える情報処理装置を制御するコンピュータが、
前記タッチスクリーンの第１の領域の接触が検出されたとき、前記情報処理装置の第１の機能を示すシンボルを前記第１の領域に表示させ、前記第１の領域の接触が維持された状態で前記タッチスクリーンの第２の領域の接触が検出されたとき、前記情報処理装置の第２の機能を示すシンボルを前記第２の領域に表示させる
ステップを含む制御処理を実行するプログラム。
【発明の詳細な説明】
【技術分野】
【０００１】
本発明は、情報処理装置および方法、並びにプログラムに関し、特に、撮影に関する機能の設定操作が簡便にできるようになった、情報処理装置および方法、並びにプログラムに関する。
【背景技術】
【０００２】
デジタルカメラは、撮影に関する機能を複数有している。従来、ユーザは、デジタルカメラの撮影時に機能を設定する場合、次のような操作をしている。即ち、ユーザは、自身が望む機能を示すアイコンを選択する操作をする。すると、デジタルカメラは、アイコンにより選択された機能の詳細を示す画像を表示する。ユーザは、この画像を見ながら、機能の詳細を設定する。これらの操作は、ハードウエアのボタンや、ソフトウエアのボタン（タッチパネル搭載モデルの場合）が、ユーザの指により押下されることで行われる。
【先行技術文献】
【特許文献】
【０００３】
【特許文献１】特開２００４−２０５８８４号公報
【発明の概要】
【発明が解決しようとする課題】
【０００４】
しかしながら、デジタルカメラが多機能となった昨今、多くの機能を示す情報をユーザに並列に提示した上で、上述したような機能の設定の操作をさせることは、ユーザにとって負担となる。
【０００５】
そのため、ユーザが、希望する機能を設定できない場合や、機能の設定に長時間を要する場合があった。
【０００６】
本発明は、このような状況に鑑みてなされたものであり、撮影に関する機能の設定操作を簡便にできるようにするものである。
【課題を解決するための手段】
【０００７】
本発明の一側面の情報処理装置は、タッチパネルとパネルとから構成されるタッチスクリーン手段と、前記タッチスクリーン手段の第１の領域の接触が検出されたとき、第１の機能を示すシンボルを前記第１の領域に表示させ、前記第１の領域の接触が維持された状態で前記タッチスクリーン手段の第２の領域の接触が検出されたとき、第２の機能を示すシンボルを前記第２の領域に表示させる表示制御を行う表示制御手段とを備える。
【０００８】
前記タッチスクリーン手段の表示領域を上下左右に分割した場合における、右下領域が前記第１の領域であり、左下領域が前記第２の領域である。
【０００９】
前記表示制御手段は、前記表示制御として、前記第１の領域または前記第２の領域の接触が一定時間以上継続した場合、前記第１の機能または前記第２の機能を示すシンボルを表示させる制御を行う。
【００１０】
前記表示手段は、前記表示制御としてさらに、第１の消去条件が満たされた場合、前記第１の機能を示すシンボルの表示を消去し、第２の消去条件が満たされた場合、前記第２の機能を示すシンボルの表示を消去する。
【００１１】
前記第２の消去条件は、前記第１の機能を示すシンボルの表示が消去されたという条件を含む。
【００１２】
前記第１の機能は複数種類の機能の集合体であり、所定の種類の機能を示すカードを模したオブジェクトとしての第１機能カードが種類毎に設けられて、前記第１の機能を示すシンボルが構成されており、前記第２の機能は複数種類の機能の集合体であり、所定の種類の機能を示すカードを模したオブジェクトとしての第２機能カードが種類毎に設けられて、前記第２の機能を示すシンボルが構成されている。
【００１３】
前記タッチスクリーン手段に対する操作として、複数種類毎の前記第１機能カードと複数種類毎の前記第２機能カードとからなる複数のカードのうち、機能の設定操作の対象となるカードが選択操作された後、そのカードにより特定される機能の設定を指示する設定操作がなされた場合、その機能の設定を行う機能設定手段をさらに備え、前記表示制御手段は、前記設定操作がなされた場合、前記表示制御としてさらに、前記選択操作された前記カードをひっくり返す画像を前記タッチスクリーン手段に表示させる制御を行う。
【００１４】
前記設定操作は、前記選択操作された前記カードに対する指のシングルタップによる操作、または、前記選択操作された前記カードに接触している２本指の間隔を狭めていく操作が採用される。
【００１５】
前記情報処理装置の面のうち、タッチスクリーン手段が配置されている面と対向する面に配置されるタッチパネル手段をさらに備え、前記設定操作は、前記タッチパネル手段に対する指のシングルタップによる操作が採用される。
【００１６】
本発明の一側面の情報処理方法およびプログラムは、上述した本発明の一側面の情報処理装置に対応する方法およびプログラムである。
【００１７】
本発明の一側面の情報処理装置および方法、並びにプログラムにおいては、タッチパネルとパネルとから構成されるタッチスクリーンに対して、次のような制御がなされる。即ち、前記タッチスクリーンの第１の領域の接触が検出されたとき、第１の機能を示すシンボルが前記第１の領域に表示され、前記第１の領域の接触が維持された状態で前記タッチスクリーンの第２の領域の接触が検出されたとき、第２の機能を示すシンボルが前記第２の領域に表示される。
【発明の効果】
【００１８】
以上のごとく、本発明によれば、機能の設定操作が簡便にできるようになる。特に、情報処理装置としてタッチスクリーンを有する撮像装置を採用することで、撮影に関する機能の設定操作が簡便にできるようになる。
【図面の簡単な説明】
【００１９】
【図１】本発明が適用される情報処理装置の一実施形態としての撮像装置の構成例を示すブロック図である。
【図２】図１の撮像装置の外観の構成例を示す斜視図である。
【図３】撮像装置の基本機能の呼び出し操作手法の一例について説明する図である。
【図４】撮像装置の基本機能の呼び出し操作手法の一例について説明する図である。
【図５】撮像装置の応用機能の呼び出し操作手法の一例について説明する図である。
【図６】撮像装置の応用機能の呼び出し操作手法の一例について説明する図である。
【図７】基本機能呼び出し処理の一例を説明するフローチャートである。
【図８】応用機能呼び出し処理の一例を説明するフローチャートである。
【図９】撮像装置の基本機能および応用機能の呼び出し操作手法の一例について説明する図である。
【図１０】基本機能を設定する操作手法の一例を説明する図である。
【図１１】設定機能変更処理の一例を説明するフローチャートである。
【図１２】基本機能を設定する操作手法の一例を説明する図である。
【図１３】基本機能を設定する操作手法の一例を説明する図である。
【図１４】本発明が適用される情報処理装置の構成例であって、図１とは異なる構成例を示すブロック図である。
【発明を実施するための形態】
【００２０】
以下、図面を参照して、本発明の実施の形態について説明する。
【００２１】
図１は、本発明が適用された情報処理装置の一実施形態としての撮像装置の構成例を示すブロック図である。
【００２２】
図１の例では、撮像装置は、レンズ部１１乃至タッチパネル２８を含むように構成されている。
【００２３】
レンズ部１１は、撮影レンズ、絞り、フォーカスレンズ等から構成される。レンズ部１１を介して入射する被写体光の光路上には、CCD(Charge Coupled Device)等の撮像素子１２が配置されている。
【００２４】
撮像素子１２、アナログ信号処理部１３、A/D(Analog/Digital)変換部１４、およびデジタル信号処理部１５がその順番で接続されている。
【００２５】
デジタル信号処理部１５にはまた、液晶パネル１７、記録デバイス１９およびタッチパネル２８が接続されている。
【００２６】
レンズ部１１には、レンズ部１１を構成する絞りの調整や、フォーカスレンズの移動を行うためのアクチュエータ２０が接続されている。アクチュエータ２０には、モータドライバ２１も接続されている。モータドライバ２１は、アクチュエータ２０の駆動制御を行う。
【００２７】
CPU(Central Processing Unit)２３は、撮像装置全体を制御する。このため、CPU２３には、アナログ信号処理部１３、A/D変換部１４、デジタル信号処理部１５、モータドライブ２１、TG(Timing Generator)２２、操作部２４、EEPROM(Electrically Erasable Programmable ROM)２５、プログラムROM(Read Only Memory)２６、RAM(Random Access Memory)２７、タッチパネル１６、およびタッチパネル２８が接続されている。
【００２８】
タッチスクリーン１８は、タッチパネル１６と液晶パネル１７により構成されている。タッチパネル２８は、タッチスクリーン１８と対向する撮像装置の面、即ち、撮像レンズ側の面に配置されている（後述する図２参照）。
【００２９】
記録デバイス１９は、例えばDVD(Digital Versatile Disc)等の光ディスクやメモリカード等の半導体メモリその他のリムーバブルな記録媒体で構成されている。記録デバイス１９は、撮像装置本体に対して着脱自在となっている。
【００３０】
EEPROM２５は、設定された各種情報を記憶する。その他の情報、例えば、電源状態がオフにされたときにも保持すべき情報等がEEPROM２５に記憶される。
【００３１】
プログラムROM２６は、CPU２３が実行するプログラムおよびプログラムを実行する上で必要なデータを記憶する。
【００３２】
RAM２７は、CPU２３が各種処理を実行する際のワークエリアとして必要なプログラムや
データを一時記憶する。
【００３３】
以下、図１の構成の撮像装置全体の動作の概略について説明する。
【００３４】
CPU２３は、プログラムROM２６に記録されているプログラムを実行することにより、撮像装置を構成する各部を制御する。また、CPU２３は、タッチパネル１６またはタッチパネル２８からの信号や、操作部２４からの信号に応じて、所定の処理を実行する。この処理の具体例については、図７、図８、および図１１の各フローチャートを参照して後述する。
【００３５】
操作部２４は、ユーザによって操作され、その操作に対応する信号をCPU２３に提供する。
【００３６】
すなわち、タッチスクリーン１８またはタッチパネル２８は、任意の位置に指が触れる等して接触されると、つまりユーザにより所定の操作入力がなされると、接触された位置の座標を検出する。検出された座標を示す電気信号（以下、座標信号と称する）がCPU２３に送出される。CPU２３は、座標信号から接触位置の座標を認識し、座標に対応付けられた所定の情報を取得し、その情報に基づいて所定の処理を実行する。
【００３７】
なお、本明細書では、接触とは、静的な接触（所定の一領域のみの接触）だけではなく、動的な接触（指等の接触物体が所定の軌跡を描いて動く接触）も含む。例えば、画像上の扇子を開かせるような指のなぞりも、接触の一形態である。
【００３８】
アクチュエータ２０の駆動により、レンズ部１１は、撮像装置の筐体から露出または収納される。また、アクチュエータ２０の駆動により、レンズ部１１を構成する絞りの調整や、レンズ部１１を構成するフォーカスレンズの移動が行われる。
【００３９】
TG２２は、CPU２３の制御に基づいて、タイミング信号を撮像素子１２に提供する。タイミング信号により、撮像素子１２における露出時間等が制御される。
【００４０】
撮像素子１２は、TG２２から提供されるタイミング信号に基づいて動作することにより、レンズ部１１を介して入射する被写体光を受光して光電変換を行う。そして、受光量に応じたアナログの画像信号をアナログ信号処理部１３に提供する。このとき、モータドライバ２１は、CPU２３の制御に基づいてアクチュエータ２０を駆動する。
【００４１】
アナログ信号処理部１３は、CPU２３の制御に基づいて、撮像素子１２から提供されたアナログの画像信号に対して増幅等のアナログ信号処理を施す。その結果得られるアナログの画像信号は、アナログ信号処理部１３からA/D変換部１４に提供される。
【００４２】
A/D変換部１４は、CPU２３の制御に基づいて、アナログ信号処理部１３からのアナログの画像信号をA/D変換する。その結果得られるデジタルの画像信号は、A/D変換部１４からデジタル信号処理部１５に提供される。
【００４３】
デジタル信号処理部１５は、CPU２３の制御に基づいてA/D変換部１４から提供されたデジタルの画像信号に対して、ノイズ除去処理等のデジタル信号処理を施す。デジタル信号処理部１５は、そのデジタルの画像信号に対応する画像を、液晶パネル１７に表示させる。
【００４４】
また、デジタル信号処理部１５は、A/D変換部１４から提供されたデジタルの画像信号を、例えばJPEG(Joint Photographic Experts Group)等の所定の圧縮符号化方式に従って圧縮符号化する。デジタル信号処理部１５は、圧縮符号化されたデジタルの画像信号を、記録デバイス１９に記録させる。
【００４５】
デジタル信号処理部１５はまた、記録デバイス１９から圧縮符号化されたデジタルの画像信号を読み出し、所定の圧縮符号化方式に対応する伸張復号方式に従って伸張復号する。デジタル信号処理部１５は、そのデジタルの画像信号に対応する画像を液晶パネル１７表示させる。
【００４６】
その他、デジタル信号処理部１５は、CPU２３の制御に基づいて、AF（auto focus）の機能を発揮させるために用いる枠（以下、AF枠と称する）の画像を生成し、液晶パネル１７に表示させる。
【００４７】
即ち、撮像素子１２によって撮像された画像は液晶パネル１７に表示される。この場合、液晶パネル１７に表示された画像上にAF枠が設定される。このAF枠の内部の画像に基づいてフォーカスが制御される。
【００４８】
このように、撮像装置はAF機能を有している。AF機能は、フォーカスの制御機能の他、液晶パネル１７に表示された画像上の任意の位置にAF枠を設定する機能を含む。さらに、AF機能は、液晶パネル１７とタッチパネル１６から構成されたタッチスクリーン１８に対する操作だけで、その位置やサイズ等の制御を行う機能を含む。
【００４９】
AF機能を実現させる処理は、CPU２３が、プログラムROM２６のプログラムを読み出して実行することで実現される。また、撮像装置は、その他にも、AE（Automatic Exposure）機能、AWB（Auto White Balance）機能を有している。これらの機能についても、CPU２３が、プログラムROM２６のプログラムを読み出して実行することで実現される。
【００５０】
さらにいえば、AF機能、AE機能、およびAWB機能は、撮像装置が有する機能の例示にしか過ぎない。即ち、撮像装置は、撮影に関する各種機能を有している。
【００５１】
以下、各種機能のうち、撮影に関する基本的な機能を、基本機能と称し、撮影に関する応用的な機能を、応用機能と称する。換言すると、基本機能とは、使用頻度の高い機能をいう。これに対して、応用機能とは、基本機能と比較して使用頻度の低い機能をいう。
【００５２】
基本機能としては、上述したAF機能、AE機能、AWB機能の他例えば、「ズーム撮影」、「オート撮影」、「フラッシュ設定」、「シーン撮影」、「タイマー撮影」、「マクロ撮影」等を採用することができる。さらにまた、例えば、撮影画面から再生画面に遷移するための再生を実現する機能も、基本機能に含めることができる。
【００５３】
これに対して、応用機能としては例えば、「動画撮影」、「WB撮影」、「EV設定」、「ISO設定」、「連写設定」等を採用することができる。
【００５４】
なお、個々のユーザによって各機能の使用頻度は異なる。そこで、基本機能と応用機能の分類は、ユーザがカスタマイズできるようにしてもよい。
【００５５】
図２は、図１の例の撮像装置の外観の構成例を示す斜視図である。
【００５６】
なお、以下、撮像装置の面のうち、ユーザが被写体を撮影する場合に被写体と対向する面、即ち、レンズ部１１が配置される面を前面と称する。一方、撮像装置の面のうち、ユーザが被写体を撮影する場合にユーザと対向する面、即ち、前面の反対側の面を後面と称する。また、撮像装置の面のうち、ユーザが被写体を撮影する場合に、上側に配置される面を上面と、下側に配置される面を下面と、それぞれ称する。
【００５７】
図２のＡは、撮像装置の前面の外観の構成例を示す斜視図である。図２のＢは、撮像装置の後面の外観の構成例を示す斜視図である。
【００５８】
撮像装置の前面は、レンズカバー４７で覆うことができる。前面のレンズカバー４７が図中下方に開かれると、図２のＡの状態になる。図２のＡに示されるように、レンズカバー４７の覆いが除かれた前面の上部には、その右方から、レンズ部１１に含まれる撮影レンズ４５とAFイルミネータ４６がその順番で配置されている。また、レンズカバー４７が覆われている前面の下部のうち、ユーザが被写体を撮影する場合に保持する部分には、タッチパネル２８が配置されている。
【００５９】
AFイルミネータ４６は、セルフタイマランプを兼ねている。撮像装置の上面には、図２のＡの左方から、ズームレバー（TELE/WIDE）４１、シャッタボタン４２、再生ボタン４３およびパワーボタン４４がその順番で配置されている。ズームレバー４１、シャッタボタン４２、再生ボタン４３、およびパワーボタン４４は、図１の操作部２４に含まれる。
【００６０】
図２のＢに示されるように、撮像装置の後面の全体には、タッチスクリーン１８が配置されている。
【００６１】
このように、撮像装置の後面にタッチスクリーン１８が設けられているので、ユーザは、被写体を撮影する場合に、撮像装置の前面を被写体に向けたままの状態で、タッチスクリーン１８によるGUI（Graphical User Interface）の操作を行うことができる。
【００６２】
タッチスクリーン１８によるGUIの操作として、例えば本実施の形態では、上述の基本機能を設定する操作を行うことができる。
【００６３】
設定可能な基本機能は、複数種類存在する。よって、ユーザは、複数種類の基本機能のうち、所望の基本機能の設定を行うことになる。このため、複数種類の基本機能としてどのような種類が存在するのかをユーザに視認させ、これらの複数種類の中から所望の種類をユーザが簡単に選択操作できる工夫が必要である。そこで、例えば、基本機能を示すシンボルをタッチスクリーン１８に表示させる。なお、シンボルの形態は特に限定されない。例えば本実施の形態では、基本機能の種類の名称が表示されたカードを種類毎に用意し、それらのカードを模したオブジェクト（以下、単に基本機能カードと略記する）をタッチスクリーン１８に表示させる（後述する図４参照）。
【００６４】
なお、基本機能カードの表示場所は特に限定されない。もっとも、ユーザが、操作しやすい場所、即ち、被写体を撮影中に指を接触させやすい場所に基本機能カードを表示させると好適である。具体的には例えば本実施の形態では、複数の基本機能カードは、タッチスクリーンの右下の領域にまとめて表示される（後述する図４参照）。ただし、当然ながら、タッチスクリーン１８の左下の領域に基本機能カードを表示させるようにしてもよい。
【００６５】
[基本機能の呼び出し操作手法]
【００６６】
なお、以下、タッチスクリーン１８に複数の基本機能カードが表示されていない状態から、基本機能カードが表示されている状態に遷移することを、基本機能の呼び出しと称する。この基本機能の呼び出し操作手法の一例について、図３と図４を用いて説明する。
【００６７】
タッチスクリーン１８の表示状態が図３に示される状態、即ち、タッチスクリーン１８に基本機能カードが表示されていない状態で、ユーザは、撮像装置のタッチスクリーン１８上の右下の領域を、指f1で接触する。
【００６８】
指f1の接触が一定時間以上維持されると、タッチスクリーン１８の表示状態が、図３の状態から図４の状態に遷移する。即ち、図４に示されるように、タッチスクリーン１８の右下の領域には、複数の基本機能カードCBが、扇形状に重ねて配置された状態で表示される。１枚の基本機能カードCBに対しては、所定の１つの基本機能が対応付けられている。このため、１枚の基本機能カードCBには、対応付けられた基本機能の名称が表示される。よって、ユーザは、基本機能カードCBに表示された名称（テキスト）を視認するだけで、それに対応付けられた基本機能を即座に認識することができる。
【００６９】
基本機能の表示を消去する消去条件を満たさない限り、基本機能カードCBは表示され続ける。なお、基本機能の表示を消去する消去条件の具体例については後述する。
【００７０】
ところで、図１の撮像装置は、上述の如く、基本機能のみならず、応用機能も有している。設定可能な応用機能は、複数種類存在する。よって、ユーザは、複数種類の応用機能のうち、所望の応用機能の設定を行うことになる。このため、複数種類の応用機能としてどのような種類が存在するのかをユーザに視認させ、これらの複数種類の中から所望の種類をユーザが簡単に選択操作できる工夫が必要である。そこで、例えば、応用機能を示すシンボルをタッチスクリーン１８に表示させる。なお、シンボルの形態は特に限定されない。例えば本実施の形態では、基本機能と同様に、応用機能の種類の名称が表示されたカードを種類毎に用意し、それらのカードを模したオブジェクト（以下、単に応用機能カードと略記する）をタッチスクリーン１８に表示させる（後述する図６参照）。
【００７１】
なお、応用機能カードの表示場所は特に限定されない。もっとも、ユーザが、操作しやすい場所、即ち、被写体を撮影中に指を接触させやすい場所に応用機能カードを表示させると好適である。また、基本機能カードと応用機能カードとを明確に区別できるように表示させると好適である。具体的には例えば本実施の形態では、複数の応用機能カードは、複数の基本機能カードCBの反対側、即ち、タッチスクリーンの左下の領域にまとめて表示される（後述する図６参照）。ただし、複数の基本機能カードCBがタッチスクリーンの左下の領域にまとめて表示されている場合には、当然ながら、タッチスクリーン１８の右下の領域に応用機能カードを表示させるようにしてもよい。
【００７２】
なお、以下、タッチスクリーン１８に複数の応用機能カードが表示されていない状態から、応用機能カードが表示されている状態に遷移することを、応用機能の呼び出しと称する。この応用機能の呼び出し操作手法の一例について、図５と図６を用いて説明する。
【００７３】
ここで、基本機能と応用機能の関係は、特に限定されず、例えば次のような第１および第２の関係を採用することができる。第１の関係とは、基本機能と応用機能は機能として独立しているという関係である。第２の関係とは、基本機能のより詳細な機能を応用機能で定義する、即ち、基本機能と応用機能の両機能により一機能が設定されるという関係である。なお、本実施の形態では第２の関係が採用されている。
【００７４】
この場合、応用機能とは基本機能が前提とされる機能であることから、応用機能カードが表示される場合には、基本機能カードCBが表示されていることが前提となる。即ち、応用機能の呼び出しでは、タッチスクリーン１８の表示状態が図４に示される状態が初期状態となる。
【００７５】
この初期状態、即ち、タッチスクリーン１８に基本機能カードCBが表示されている状態（ただし、応用機能カードが表示されていない状態）で、図５に示されるように、ユーザは、撮像装置のタッチスクリーン１８の左下の領域を、指f1とは異なる指f2で接触する。なお、「指f1とは異なる指f2」と記述したのは、指f1がタッチスクリーン１８から離れると、基本機能の表示を消去する消去条件が満たされるからである。即ち、基本機能カードCBが消去されてしまい、応用機能カードが表示される前提が無くなってしまうからである。
【００７６】
指f2の接触が一定時間以上維持されると、タッチスクリーン１８の表示状態が、図５の状態から図６の状態に遷移する。即ち、図６に示されるように、タッチスクリーン１８の左下の領域には、複数の応用機能カードCAが、扇形状に重ねて配置された状態で表示される。１枚の応用機能カードCAに対しては、所定の１つの応用機能が対応付けられている。このため、１枚の応用機能カードCAには、対応付けられた基本機能の名称が表示される。よって、ユーザは、応用機能カードCAに表示された名称（テキスト）を視認するだけで、それに対応付けられた応用機能を即座に認識することができる。
【００７７】
基本機能の表示を消去する消去条件、または応用機能の表示を消去する消去条件を満たさない限り、応用機能カードCAは表示され続ける。なお、基本機能カードCBが消去されることも、応用機能の表示を消去する消去条件に含めることもできる。この場合、応用機能の表示を消去する消去条件を満たさない限り、応用機能カードCAは表示され続けると把握することができる。なお、基本機能の表示を消去する消去条件や、応用機能の表示を消去する消去条件については、後述する。
【００７８】
以上、説明したように、基本機能の呼び出しは指f1のみ、即ち、片手で操作することができる。これに対して、応用機能の呼び出しは、指f1と指f2での操作が必要になる。即ち、ユーザが両手で撮像装置を保持しながら応用機能の呼び出しを行う場合、右手の指f1と左手の指f2での操作、即ち、両手での操作が必要になる。このように、基本機能の呼び出し操作と応用機能の呼び出し操作とを明確に区別することにより、設定頻度の高い基本機能と、設定頻度の低い応用機能との違いをユーザに明確に区別させることができる。
【００７９】
即ち、ユーザは、設定頻度の高い基本機能と設定頻度の低い応用機能とが並列に提示されることによって、希望する機能の設定操作を容易に行うことができるようになる。
【００８０】
以下、図１の撮像装置が実行する処理のうち、基本機能の呼び出しを実現する処理（以下、基本機能呼び出し処理と称する）と、応用機能の呼び出しを実現する処理（以下、応用機能呼び出し処理と称する）とについて説明する。
【００８１】
図７は、基本機能呼び出し処理の一例を説明するフローチャートである。
【００８２】
ここで、撮像装置の動作状態のうち、記録デバイス１９への撮像データの記録動作の準備が可能となっている状態、即ち、シャッタボタン４２が押下されれば即座に記録動作が開始される状態を、撮影状態と称する。撮像装置の動作状態が、撮影状態に遷移すると、基本機能呼び出し処理が開始される。
【００８３】
即ち、ステップＳ１において、CPU２３は、タッチスクリーン１８の右下の領域が一定時間以上接触され続けたか否かを判定する。
【００８４】
即ち、図３の状態が一定時間以上継続した場合、具体的には、ユーザの指f1によって、タッチスクリーン１８の右下の領域が一定時間以上接触され続けた場合、タッチスクリーン１８を構成するタッチパネル１６から座標信号がCPU２３に一定時間入力され続ける。
【００８５】
従って、この座標信号がCPU２３に一定時間入力され続けない限り、ステップＳ１においてＮＯであると判定されて、処理はステップＳ１に戻され、それ以降の処理が繰り返される。
【００８６】
その後、タッチスクリーン１８を構成するタッチパネル１６から座標信号がCPU２３に一定時間入力され続けた場合、ステップＳ１においてＹＥＳであると判定されて、即ち、タッチスクリーン１８の右下の領域が一定時間以上接触され続けたと判定されて処理はステップＳ２に進む。
【００８７】
ステップＳ２において、CPU２３は、デジタル信号処理部１５を制御して、タッチスクリーン１８の右下の領域に基本機能カードCBを表示させる。即ち、タッチスクリーン１８の表示状態が、図３の状態から図４の状態に遷移する。
【００８８】
ステップＳ３において、CPU２３は、基本機能の表示を消去する消去条件を満たしたか否かを判定する。
【００８９】
基本機能の表示を消去する消去条件は、特に限定されない。ただし、例えば本実施の形態では、次のような第１乃至第３の条件のうちひとつでも条件を満たしたこと、といった消去条件が採用されている。
【００９０】
第１の条件とは、基本機能カードCBが表示されている状態で、ユーザがシャッタボタン４２を押下する、という条件である。
【００９１】
第２の条件とは、タッチスクリーン１８のうち、基本機能カードCBまたは（および）応用機能カードCAの表示がされている領域以外のモニタリング画面領域をユーザが接触する、という条件である。
【００９２】
第３の条件とは、一定時間、タッチスクリーン１８の右下もしくは左下（基本機能カードCBと応用機能カードCAの両方が表示されている場合には右下および左下）の領域で指f1と指f2の少なくとも一方の接触が検出されない、という条件である。なお、「少なくとも一方」としたのは、指f1の接触が検出されず、その結果として、図７のステップＳ３の処理でＹＥＳであると判定され、ステップＳ４の処理で基本機能カードCBが消去された、という条件も含まれているからである。
【００９３】
上述した第１乃至第３の条件の全てを満たさない場合、ステップＳ３においてＮＯであると判定されて、処理はステップＳ２に戻され、それ以降の処理が繰り返される。即ち、第１乃至第３の条件のうち、ひとつでも条件が満たされるまで、タッチスクリーン１８の右下の領域に基本機能カードCBが表示され続ける。即ち、タッチスクリーン１８の表示状態が図４の状態を維持する。
【００９４】
その後、第１乃至第３の条件のうち、ひとつでも条件が満たされると、ステップＳ３においてＹＥＳであると判定されて、処理はステップＳ４に進む。
【００９５】
ステップＳ４において、CPU２３は、デジタル信号処理部１５を制御して、タッチスクリーン１８の右下の領域の基本機能カードの表示を消去する。
【００９６】
ステップＳ５において、CPU２３は、撮影状態を終了したか否かを判定する。
【００９７】
撮像装置の状態が撮影状態を維持している限り、ステップＳ５においてＮＯであると判定されて、処理はステップＳ１に戻され、それ以降の処理が繰り返される。即ち、撮像装置の状態が撮影状態を維持している限り、ステップＳ１乃至Ｓ５のループ処理が繰り返される。
【００９８】
その後、撮像装置の状態が撮影状態から別の状態に遷移した場合、ステップＳ５においてＹＥＳであると判定されて、基本機能呼び出し処理は終了する。
【００９９】
以上、基本機能呼び出し処理について説明したが、基本機能の呼び出しと応用機能の呼び出しとは、一定条件の下、並列して実行することができる。即ち、本実施の形態では、基本機能のより詳細な機能を、応用機能で定義することとしているため、応用機能カードCAは、基本機能カードCBが表示されている状態で表示させることができる。
【０１００】
この場合、例えば、図７の基本機能呼び出し処理と並行して、図８に示されるような応用機能呼び出し処理が実行される。即ち、図８は、応用機能呼び出し処理の一例を説明するフローチャートである。
【０１０１】
撮像装置の動作状態が撮影状態に遷移すると、図７の基本機能呼び出し処理とともに、図８の応用機能呼び出し処理も開始される。
【０１０２】
ステップＳ２１において、CPU２３は、基本機能カードCBが表示されているか否かを判定する。
【０１０３】
基本機能カードCBが表示されていない場合、ステップＳ２１においてＮＯであると判定され、処理は再びステップＳ２１に戻され、それ以降の処理が繰り返される。即ち、基本機能カードCBがタッチスクリーン１８の右下の領域に表示されるまで、ステップＳ２１の処理が繰り返される。
【０１０４】
その後、例えば、図７の基本機能呼び出し処理のステップＳ２の処理が実行されて、タッチスクリーン１８の右下の領域に基本機能カードCBが表示された場合、即ち、タッチスクリーン１８の表示状態が図４に示される状態に遷移した場合、ステップＳ２１においてＹＥＳであると判定されて、処理はステップＳ２２に進む。
【０１０５】
ステップＳ２２において、CPU２３は、タッチスクリーン１８の左下の領域が一定時間以上接触され続けたか否かを判定する。
【０１０６】
即ち、図５の状態が一定時間以上継続した場合、具体的には、ユーザの指f2によって、タッチスクリーン１８の左下の領域が一定時間以上接触され続けた場合、タッチスクリーン１８を構成するタッチパネル１６から座標信号がCPU２３に一定時間入力され続ける。
【０１０７】
従って、この座標信号がCPU２３に一定時間入力され続けない限り、ステップＳ２２においてＮＯであると判定されて、処理はステップＳ２１に戻され、それ以降の処理が繰り返される。
【０１０８】
その後、基本機能カードCBが表示されている状態で、タッチスクリーン１８を構成するタッチパネル１６から座標信号（左下の領域の座標を示す信号）がCPU２３に一定時間入力され続けた場合、ステップＳ２２においてＹＥＳであると判定されて、即ち、タッチスクリーン１８の左下の領域が一定時間以上接触され続けたと判定されて処理はステップＳ２３に進む。
【０１０９】
ステップＳ２３において、CPU２３は、デジタル信号処理部１５を制御して、タッチスクリーン１８の左下の領域に応用機能カードCAを表示させる。即ち、タッチスクリーン１８の表示状態が、図５の状態から図６の状態に遷移する。
【０１１０】
ステップＳ２４において、CPU２３は、応用機能の表示を消去する消去条件を満たしたか否かを判定する。
【０１１１】
応用機能の表示を消去する消去条件は、特に限定されない。ただし、例えば本実施の形態では、次のような第１乃至第３の条件のうちひとつでも条件を満たしたこと、といった消去条件が採用されている。
【０１１２】
第１の条件とは、応用機能カードCAが表示されている状態（この場合基本機能カードCBも表示されている状態）で、ユーザがシャッタボタン４２を押下する、という条件である。
【０１１３】
第２の条件とは、タッチスクリーン１８のうち、基本機能カードCBと応用機能カードCA
の表示がされている領域以外のモニタリング画面領域をユーザが接触する、という条件である。
【０１１４】
第３の条件とは、一定時間、タッチスクリーン１８の右下もしくは左下（基本機能カードCBと応用機能カードCAの両方が表示されている場合には右下および左下）の領域で指f1と指f2の少なくとも一方の接触が検出されない、という条件である。なお、「少なくとも一方」としたのは、指f1の接触が検出されず、その結果として、図７のステップＳ３の処理でＹＥＳであると判定され、ステップＳ４の処理で基本機能カードCBが消去された、という条件も含まれているからである。
【０１１５】
上述した第１乃至第３の条件の全てを満たさない場合、ステップＳ２４においてＮＯであると判定されて、処理はステップＳ２３に戻され、それ以降の処理が繰り返される。即ち、第１乃至第３の条件のうち、ひとつでも条件が満たされるまで、タッチスクリーン１８の左下の領域に応用機能カードCAが表示され続ける。また、上述の第１乃至第３の条件の全てが満たされない場合、図７のステップＳ３の基本機能の表示を消去する消去条件の全ても満たされないので、タッチスクリーン１８の右下の領域に基本機能カードCBが表示され続ける。即ち、タッチスクリーン１８の表示状態が図６の状態を維持する。
【０１１６】
その後、第１乃至第３の条件のうち、ひとつでも条件が満たされると、ステップＳ２４においてＹＥＳであると判定されて、処理はステップＳ２５に進む。
【０１１７】
ステップＳ２５において、CPU２３は、デジタル信号処理部１５を制御して、タッチスクリーン１８の左下の領域の応用機能カードCAの表示を消去する。
【０１１８】
なお、ユーザがシャッタボタン４２を押下したか、または、タッチスクリーン１８のうち、基本機能カードCBと応用機能カードCAの表示がされている領域以外のモニタリング画面領域をユーザが接触したことを条件にステップＳ２４の処理でＹＥＳと判定されて、ステップＳ２５の処理で応用機能カードCAが消去された場合、図７のステップＳ３の処理でＹＥＳであると判定され、ステップＳ４の処理で基本機能カードCBも消去される。
【０１１９】
これに対して、タッチスクリーン１８の右下の領域で指f1の接触は検出されたままの状態で、一定時間、タッチスクリーン１８の左下の領域で指f2の接触が検出されないことを条件にステップＳ２４の処理でＹＥＳと判定されて、ステップＳ２５の処理で応用機能カードCAが消去された場合、図７のステップＳ３の処理でＮＯであると判定され、処理はステップＳ２に戻され、その結果として、基本機能カードCBの表示は維持される。
【０１２０】
何れにしても、タッチスクリーン１８の左下の領域の応用機能カードの表示が消去されると、処理はステップＳ２５からステップＳ２６に進む。
【０１２１】
ステップＳ２６において、CPU２３は、撮影状態を終了したか否かを判定する。
【０１２２】
撮像装置の状態が撮影状態を維持している限り、ステップＳ２６においてＮＯであると判定されて、処理はステップＳ２１に戻され、それ以降の処理が繰り返される。即ち、撮像装置の状態が撮影状態を維持している限り、ステップＳ２１乃至Ｓ２６のループ処理が繰り返される。
【０１２３】
その後、撮像装置の状態が撮影状態から別の状態に遷移した場合、ステップＳ２６においてＹＥＳであると判定されて、応用機能呼び出し処理は終了する。なお、この場合、図７の基本機能呼び出し処理も終了する。
【０１２４】
以上、図３乃至図８を参照して、撮像装置の基本機能および応用機能の呼び出し操作手法の一例と、その操作に対する各呼び出し処理の一例について説明した。もっとも、撮像装置の基本機能および応用機能の呼び出し操作手法は、上述した例に限定されない。例えば、図９は、撮像装置の基本機能および応用機能の呼び出し操作の操作手法の一例を説明する図であって、図３乃至図６とは異なる例について説明する図である。
【０１２５】
図９において、ユーザは、撮像装置のタッチスクリーン１８の左側面を、指f1で下から上方向になぞる操作を実行する。そうすると、指f1が接触したタッチスクリーン１８の左側面の下の領域から上の領域に、応用機能カードCA/基本機能カードCBが順次表示されていく。
【０１２６】
応用機能カードCA/基本機能カードCBの表示を消去するには、それらが表示された状態で、撮像装置のタッチスクリーン１８の左側面を、指f1で上から下方向になぞる操作を実行する。そうすると、指f1が接触したタッチスクリーン１８の左側面の上の領域から下の領域に向けて、応用機能カードCA/基本機能カードCBが順次消去されていく。
【０１２７】
もちろん、なぞる方向は限定されず、上下を逆にして、応用機能カードCA/基本機能カードCBの表示とその消去を切り換えてもよい。
【０１２８】
次に、図１０乃至図１３を参照して、基本機能または応用機能を設定する操作手法の幾つかの例について説明する。ただし、以下、説明の簡略上、基本機能の設定操作を例に説明し、応用機能の設定操作の例は省略する。応用機能の設定操作は、以下の基本機能の設定操作と基本的に同様であるからである。
【０１２９】
図１０は、基本機能を設定する操作手法の一例を説明する図である。
【０１３０】
本実施の形態の基本機能の設定としては、機能をオフにする設定と、機能をオンにする設定とが存在する。機能をオフにするとは、基本機能の発揮を禁止する状態にすることを意味する。これに対して、機能をオンにするとは、操作をすれば基本機能が発揮できる状態にすることを意味する。
【０１３１】
図１０のＡは、複数の基本機能カードCBが表示されている状態を示している。即ち、図４と同一状態を示している。具体的には、ユーザが、タッチスクリーン１８の右下の領域を一定時間以上指f1で接触し続けた結果として、複数の基本機能カードCBが表示されている状態を示している。
【０１３２】
図１０のＢにおいて、ユーザは、機能を設定したい基本機能が表示された基本機能カードCB1を選択する選択操作を行う。即ち、図１０のＢに示されるように、ユーザは、基本機能カードCB1を指f1で接触して上方に引っ張り出す操作を行う。これにより、基本機能カードCB１が選択されることになる。即ち、基本機能カードCB1を引っ張り出す操作が、基本機能カードCB1の選択操作とされている。
【０１３３】
なお、基本機能カードCB1を引っ張り出す操作が行われているか否かは、タッチスクリーン１８を構成するタッチパネル１６から座標信号をCPU２３が監視することで実現できる。即ち、CPU２３は、座標信号の時系列から、指f1の軌跡を認識することができる。そこで、CPU２３は、その認識結果に基づいて、基本機能カードCB1を引っ張り出す操作が行われているか否かを検出する。また、CPU２３は、デジタル信号処理部１５を制御して、指f1の軌跡に従って基本機能カードCB1が移動していく画像を生成して、タッチスクリーン１８に表示させる。なお、アニメーション処理により、基本機能カードCB1が引っ張り出される様子を表現してもよい。このような、CPU２３の処理は、後述する他のGUI操作についても同様に実行されるとする。
【０１３４】
次に、ユーザは、基本機能を設定する設定操作をする。即ち、ユーザは、指f1で、基本機能カードCB１の表と裏をひっくり返す操作をする。なお、基本機能カードCB1をひっくり返す操作としては、例えば、基本機能カードCB1を指f1で一度叩く操作（シングルタップする操作）を採用できる。
【０１３５】
ここで、基本機能カードCB１が表になっていることは、それに表示された基本機能がオンであることを意味する。これに対して、基本機能カードCB１が裏になっていることは、それに表示された基本機能がオフであることを意味する。従って、図１０の例では、基本機能カードCB1は、表から裏にひっくり返す操作が行われことになるので、それに表示された基本機能はオンからオフに設定される。
【０１３６】
即ち、図１０の例では、マクロ機能と表示されている基本機能カードCB1が選択されて、その基本機能カードCB１がひっくり返されている。よって、マクロ機能がオフに設定されることになる。
【０１３７】
図１０のＣに示されるように、ひっくり返されて機能がオフの状態になった基本機能カードCB1は、機能がオンの状態の他の基本機能カードCBと区別されるように表示形態が変更される。表示形態自体は、機能がオンの状態と機能がオフの状態とでそれぞれ異なる表示形態になっていれば、特に限定されない。図９の例では、機能がオンの状態の基本機能カードCB（図１０のＡ，Ｂの基本機能カードCB1も含む）は、白色で表示される。これに対して、機能がオフの状態の基本機能カードCB1は、灰色で表示される。
【０１３８】
なお、機能がオフの状態となっている基本機能カードCB１に対して、図１０のＡ乃至Ｃを用いて説明した一連の操作、即ち、基本機能カードCB1の再選択操作と、基本機能カードCB1をさらに裏から表にひっくり返す操作とがなされることで、機能をオンに戻すことができる。
【０１３９】
なお、基本機能の設定は、本実施の形態では、機能をオンにする設定と機能をオフにする設定が採用されている。ただし、基本機能の中には、機能をオンにするとか機能をオフにするという表現では表現しきれないものも存在する。このような基本機能については、基本機能カードCBの裏側に設定できる項目を表示するようにしてもよい。この場合、ユーザは、基本機能カードCB1をひっくり返す操作をした後に、さらに、希望する項目を選択して機能の設定をする操作をすればよい。
【０１４０】
図１１は、図１の撮像装置が実行する処理のうち、図１０の基本機能を設定する操作手法に従った操作に対して実行する処理（以下、設定機能変更処理と称する）の一例を説明するフローチャートである。なお、後述するステップ内の「基本機能」という語句を「応用機能」という語句に置き換えることで、応用機能も基本機能と全く同様に設定できる。
【０１４１】
設定機能変更処理も、撮像装置の動作状態が撮影状態に遷移すると、開始される。
【０１４２】
ステップＳ４１において、CPU２３は、基本機能カードCBが表示されているか否かを判定する。
【０１４３】
基本機能カードCBが表示されていない場合、ステップＳ４１においてＮＯであると判定され、処理は再びステップＳ４１に戻され、それ以降の処理が繰り返される。即ち、基本機能カードCBがタッチスクリーン１８の右下の領域に表示されるまで、ステップＳ４１の処理が繰り返される。
【０１４４】
その後、例えば、図７の基本機能呼び出し処理のステップＳ２の処理が実行されて、タッチスクリーン１８の右下の領域に基本機能カードCBが表示された場合、即ち、タッチスクリーン１８の表示状態が図４に示される状態に遷移した場合、ステップＳ４１においてＹＥＳであると判定されて、処理はステップＳ４２に進む。
【０１４５】
ステップＳ４２において、CPU２３は、基本機能カードCB1の選択操作（指f1で引っ張り出す操作）がなされたか否かを判定する。
【０１４６】
基本機能カードCB1を指f1で引っ張り出す操作がなされない場合、ステップＳ４２においてＮＯであると判定されて、処理はステップＳ４１に戻され、それ以降の処理が繰り返される。即ち、基本機能カードCB1が表示された状態で、基本機能カードCB1を指f1で引っ張り出す操作がなされるまで、ステップＳ４１およびステップＳ４２のループ処理が繰り返される。
【０１４７】
その後、図１０のＢに示されるように、ユーザが基本機能カードCB1を指f1で接触して上方に引っ張り出す操作を行うと、ステップＳ４２においてＹＥＳであると判定されて、処理はステップＳ４３に進む。
【０１４８】
ステップＳ４３において、CPU２３は、基本機能の設定操作（基本機能カードCB1を指f1でひっくり返す操作）がなされたか否かを判定する。
【０１４９】
基本機能カードCB1を指f1でひっくり返す操作がなされなかった場合、ステップＳ４３においてＮＯであると判定されて、処理はステップＳ４７に進む。ただし、ステップＳ４７以降の処理については後述する。
【０１５０】
これに対して、図１０のＢに示されるように、ユーザが指f1で基本機能カードCB１の表と裏をひっくり返す操作をした場合、ステップＳ４３においてＹＥＳであると判定されて、処理はステップＳ４４に進む。
【０１５１】
ステップＳ４４において、CPU２３は、選択した基本機能を最初の状態と逆の状態で設定する。
【０１５２】
即ち、基本機能カードCB1を表から裏にひっくり返す操作がなされた場合、それに表示された基本機能（選択した基本機能）の最初の状態とは、基本機能がオンの状態であることを意味する。このような場合、CPU２３は、その基本機能をオフに設定する。
【０１５３】
これに対して、基本機能カードCB1を裏から表にひっくり返す操作がなされた場合、それに表示された基本機能（選択した基本機能）の最初の状態とは、基本機能がオフの状態であることを意味する。このような場合、CPU２３は、その基本機能をオンに設定する。
【０１５４】
ステップＳ４４の処理が終了すると、処理はステップＳ４５に進む。
【０１５５】
ステップＳ４５において、CPU２３は、デジタル信号処理部１５を制御して、基本機能カードCB1を元の表示位置に戻す。即ち、デジタル信号処理部１５は、ステップＳ４２の処理で引っ張り出された基本機能カードCB1を、元の表示位置であるタッチスクリーン１８の右下の領域に戻す。
【０１５６】
ステップＳ４６において、CPU２３は、撮影状態を終了したか否かを判定する。
【０１５７】
撮像装置の状態が撮影状態を維持している限り、ステップＳ４６においてＮＯであると判定されて、処理はステップＳ４１に戻され、それ以降の処理が繰り返される。即ち、撮像装置の状態が撮影状態を維持している限り、ステップＳ４１乃至Ｓ４６のループ処理が繰り返される。
【０１５８】
その後、撮像装置の状態が撮影状態から別の状態に遷移した場合、ステップＳ４６においてＹＥＳであると判定されて、設定機能変更処理は終了する。なお、この場合、図７の基本機能呼び出し処理も終了する。
【０１５９】
以上、ステップＳ４２の処理で基本機能カードCB1の選択操作がなされたと判定され、ステップＳ４３の処理で基本操作の設定操作がなされたと判定された場合における一連の処理について説明した。
【０１６０】
これに対して、ステップＳ４２の処理で基本機能カードCB1の選択操作がなされたと判定され、ステップＳ４３の処理で基本操作の設定操作がなされていないと判定された場合には、処理はステップＳ４７に進み、次のような処理が実行される。
【０１６１】
ステップＳ４７において、CPU２３は、基本機能カードCB1を元に戻す操作が検出されたか否かを判定する。
【０１６２】
基本機能カードCB1を元に戻す操作がなされた場合、ステップＳ４７においてＹＥＳであると判定されて、処理はステップＳ４５に進む。即ち、ステップＳ４５の処理で、ステップＳ４２の処理で引っ張り出された基本機能カードCB1が、元の表示位置であるタッチスクリーン１８の右下の領域に戻される。その後処理はステップＳ４６に進む。ステップＳ４６以降の処理については説明済みであるので、ここではその説明は省略する。
【０１６３】
これに対して、基本機能カードCB1を元に戻す操作がなされなかった場合、ステップＳ４７においてＮＯであると判定されて、処理はステップＳ４８に進む。
【０１６４】
ステップＳ４８において、CPU２３は、ステップＳ４２の処理で基本機能カードCB１が引っ張り出されてから一定時間が経過したか否かを判定する。
【０１６５】
即ち、ステップＳ４２で引っ張り出された基本機能カードCB1に対して、何も操作がされずに一定時間が経過したか否かを判定する。
【０１６６】
一定時間経過していない場合、ステップＳ４８においてＮＯであると判定されて、処理はステップＳ４３に戻され、それ以降の処理が繰り返される。
【０１６７】
ここで、ステップＳ４２の処理で引っ張り出された基本機能カードCB1に対してその後何ら操作がなされなかった場合、ステップＳ４３ＮＯ，ステップＳ４７ＮＯ，ステップＳ４８ＮＯのループ処理が繰り返される。
【０１６８】
その後も、基本機能カードCB1に対して何ら操作がなされず、一定時間が経過すると、ステップＳ４８においてＹＥＳであると判定されて、処理はステップＳ４５に進む。即ち、ステップＳ４２の処理で引っ張り出された基本機能カードCB1に対して何等操作がなされずに一定時間が経過すると、ステップＳ４５の処理で、その基本機能カードCB１は元の表示位置であるタッチスクリーン１８の右下の領域に戻される。その後処理はステップＳ４６に進む。ステップＳ４６以降の処理については説明済みであるので、ここではその説明は省略する。
【０１６９】
以上、図１０を参照して基本機能を設定する操作手法の一例を説明し、その後図１１を参照して、図１０の例の操作手法に対応する設定機能変更処理について説明した。もっとも、基本機能を設定する操作手法は、図１０の例に特に限定されない。そこで、以下、図１２と図１３を参照して、基本機能を設定する操作手法の別の例について説明する。
【０１７０】
図１２は、基本機能を設定する操作手法の一例であって、図１０とは異なる例について説明する図である。
【０１７１】
図１２のＡにおいて、ユーザは、機能を設定したい基本機能が表示された基本機能カードCB1を選択する選択操作を行う。即ち、図１２のＡに示されるように、ユーザは、基本機能カードCB1を指f1と指f2で接触して上方に引っ張り出す操作を行う。これにより、基本機能カードCB１が選択されることになる。即ち、基本機能カードCB1を指f1と指f2で引っ張り出す操作が、基本機能カードCB1の選択操作とされている。なお、基本機能カードCB1の選択操作は、図１０のＢに示されるように指f1のみで引っ張り出す操作であってもよい。
【０１７２】
次に、ユーザは、基本機能を設定する設定操作をする。即ち、ユーザは、指f1と指f2で、基本機能カードCB１の表と裏をひっくり返す操作をする。図１２の例では、図１２のＢ,Ｃに示されるように、指f1と指f2を、基本機能カードCB1の上端に移動させ、指f1と指f2の間隔を狭めていく操作をする。すると、選択した基本機能カードCB1がひっくり返される（そのような表示がなされる）。
【０１７３】
図１２の例では、マクロ機能と表示されている基本機能カードCB1が選択されて、その基本機能カードCB１がひっくり返されている。よって、マクロ機能がオフに設定されることになる。
【０１７４】
次に、図１３は、基本機能を設定する操作手法の一例であって、図１０や図１２とは異なる例について説明する図である。
【０１７５】
図１３の例では、撮像装置の前面（レンズ部１１側）に配置されているタッチパネル２８が使用される。上述したように、タッチパネル２８はタッチスクリーン１８の背面に配置されている（図２参照）。
【０１７６】
図１３のＡにおいて、ユーザは、機能を設定したい基本機能が表示された基本機能カードCB1を選択する選択操作を行う。即ち、図１３のＡに示されるように、ユーザは、基本機能カードCB1を指f1で接触して上方に引っ張り出す操作を行う。これにより、基本機能カードCB１が選択されることになる。即ち、基本機能カードCB1を引っ張り出す操作が、基本機能カードCB1の選択操作とされている。
【０１７７】
次に、ユーザは、基本機能を設定する設定操作をする。即ち、ユーザは、指f1と指f2で、基本機能カードCB１の表と裏をひっくり返す操作をする。図１３の例では、図１３のＢに示されるように、引っ張り出した基本機能カードCB1を指f1で接触したまま、指f2で、撮像装置の撮像レンズ側に構成されているタッチパネル２８を一度叩く（シングルタップする）操作をする。すると、選択した基本機能カードCB1がひっくり返される（そのような表示がなされる）。
【０１７８】
図１３の例では、マクロ機能と表示されている基本機能カードCB1が選択されて、その基本機能カードCB１がひっくり返されている。よって、マクロ機能がオフに設定されることになる。
【０１７９】
なお、基本機能を設定する操作は、図１３の例に限定されない。
【０１８０】
例えば、ユーザは、基本機能カードCB１の表と裏をひっくり返す操作をする場合に、図１３の例では、基本機能カードCB1に指f1を接触させていた。しかしながら、この場合の指f1の基本機能カードCB1への接触は不要である。例えば、基本機能カードCB1を指f1で引っ張り出す操作をした後、指f1を離して、指f2でタッチパネル２８を一度叩く（シングルタップする）操作を、基本機能カードCB１の表と裏をひっくり返す操作として採用してもよい。
【０１８１】
以上説明したように、本発明が適用される撮像装置は、撮影に関する各種機能の表示として、実世界のカードにみたてたオブジェクト（上述の例では基本機能カードCBや応用機能カードCA）の表示を採用している。これにより、ユーザに使いやすい手法で撮影に関する各種機能を提示することができる。その結果、ユーザが撮影に関する各種機能を、直感的に理解することができるようになる。
【０１８２】
例えば、実世界のカードには裏表の概念が存在している。よって、図１０乃至図１３の例のような手法、即ち、タッチスクリーン１８の画面内の基本機能カードCBや応用機能カードCAを表から裏にする操作をすることによって、対応する機能をオンからオフに設定する手法は、ユーザにとって理解しやすい手法である。
【０１８３】
ところで、上述した一連の処理は、ハードウエアにより実行させることもできるが、ソフトウエアにより実行させることができる。
【０１８４】
この場合、図１の撮像装置が実行してもよいことは勿論のこと、その他例えば、図１４に示されるパーソナルコンピュータが実行してもよい。
【０１８５】
図１４において、CPU１０１は、ROM（Read Only Memory）１０２に記録されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１８６】
CPU１０１、ROM１０２、およびRAM１０３は、バス１０４を介して相互に接続されている。このバス１０４にはまた、入出力インタフェース１０５も接続されている。
【０１８７】
入出力インタフェース１０５には、キーボード、マウスなどよりなる入力部１０６、出力部１０７、ハードディスクなどより構成される記憶部１０８、モデムおよびターミナルアダプタなどより構成される通信部１０９が接続されている。通信部１０９は、インターネットを含むネットワークを介して他の装置（図示せず）との間で行う通信を制御する。
【０１８８】
入出力インタフェース１０５にはまた、必要に応じてドライブ１１０が接続され、磁気ディスク、光ディスク、光磁気ディスク、或いは半導体メモリなどよりなるリムーバブルメディア１１１が適宜装着され、それらから読み出されたコンピュータプログラムが、必要に応じて記憶部１０８にインストールされる。
【０１８９】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１９０】
このようなプログラムを含む記録媒体は、図１または図１４に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、もしくは半導体メモリなどよりなるリムーバブルメディア（パッケージメディア）１１１（図１４）により構成されるだけでなく、装置本体に予め組み込まれた状態でユーザに提供される、プログラムが記録されている図１のプログラムROM２６、図１４のROM１０２、記憶部１０８に含まれるハードディスクなどで構成される。
【０１９１】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１９２】
以上、本発明が適用された情報処理装置により表示が制御される表示装置として、液晶パネル１７といった液晶表示装置について説明してきた。ただし、本発明は、液晶パネルのみならず、次のような表示装置にも適用可能である。即ち、動画像を構成するフレームやフィールドといった単位（以下、かかる単位をコマと称する）毎に表示が指示される表示装置であって、所定時間の間、１コマを構成する複数の画素が表示素子により構成されており、それら表示素子のうちの少なくとも一部の表示を保持させることができる表示装置に適用できる。なお、以下、かかる表示素子をホールド型表示素子と称し、かかるホールド型表示素子により画面が構成される表示装置を、ホールド型表示装置と称する。即ち、液晶表示装置はホールド型表示装置の例示にしか過ぎず、本発明は、ホールド型表示装置全体に適用可能である。
【０１９３】
さらに、本発明は、ホールド型表示装置のみならず、例えば、発光素子として有機ＥＬ(Electro Luminescent)デバイスを用いた平面自発光型の表示装置等にも適用可能である。即ち、本発明は、画像が複数の画素から構成され、その画素を表示する表示素子を含む表示装置全体に適用可能である。なお、かかる表示装置を、画素型表示装置と称する。ここで、画素型表示装置において、１つの画素に１つの表示素子が必ずしも対応付けられている必要は特に無い。
【０１９４】
換言すると、本発明が適用された情報処理装置により表示が制御される表示装置は、上述した一連の処理を実行可能とする表示装置であれば足りる。
【符号の説明】
【０１９５】
１１  レンズ部，  １２  撮像素子,  １３  アナログ信号処理部，  １４  A/D変換部，  １５  デジタル信号処理部，  １６  タッチパネル，  １７  液晶パネル，  １８  タッチスクリーン，  １９  記録デバイス，  ２０  アクチュエータ，  ２１  モータドライブ，  ２２  TG，  ２３  CPU，  ２４  操作部，  ２５  EEPROM，  ２６  プログラムROM，  ２７  RAM，  ２８  タッチパネル，  ４１  ズームレバー，  ４２  シャッタボタン，  ４３  再生ボタン，  ４４  パワーボタン，  ４５  撮影レンズ，  ４６  AFイルミネータ，  ４７  レンズカバー，１０１  CPU，  １０２  ROM，  １０３  RAM，  １０８  記憶部，  １１１  リムーバブルメディア
【図１】
2010067260.tif 000003
【図２】
2010067260.tif 000004
【図３】
2010067260.tif 000005
【図４】
2010067260.tif 000006
【図５】
2010067260.tif 000007
【図６】
2010067260.tif 000008
【図７】
2010067260.tif 000009
【図８】
2010067260.tif 000010
【図９】
2010067260.tif 000011
【図１０】
2010067260.tif 000012
【図１１】
2010067260.tif 000013
【図１２】
2010067260.tif 000014
【図１３】
2010067260.tif 000015
【図１４】
2010067260.tif 000016